(57)【特許請求の範囲】
【請求項１】
箱本体、前記箱本体を開閉可能な箱蓋、および箱蓋に設けられる開閉可能な小蓋を有する制御器箱と、
前記制御器箱に収納される制御基板と、
前記制御器箱に収納され前記制御基板に繋がる電路に着脱可能に挿入されるヒューズと、
前記制御器箱内に設けられ前記ヒューズの周囲を囲むヒューズ隔離壁と、を備え、
前記箱蓋は、前記ヒューズ隔離壁の内側部分に対応する開口部を有し、
前記小蓋は、前記開口部に覆い被さり、
前記ヒューズ隔離壁は、前記小蓋側に拡がる錐台形状である天井埋込型空気調和機。
【請求項２】
前記小蓋を前記箱蓋に固定する第一ねじを備え、
前記小蓋は、前記第一ねじの軸を引っ掛ける切り欠き状の凹部を有し、前記第一ねじを緩めて前記箱蓋に沿って前記小蓋を移動させることで前記凹部から前記第一ねじの軸を離脱させて開閉する請求項１に記載の天井埋込型空気調和機。
【請求項３】
前記第一ねじに締め付けられ前記第一ねじが前記箱蓋から抜け出ることを阻止する第一ナットを備える請求項２に記載の天井埋込型空気調和機。
【請求項４】
前記第一ナットは袋ナットであり、前記第一ねじを底突きさせた状態で前記第一ねじを緩めることが可能である請求項３に記載の天井埋込型空気調和機。
【請求項５】
前記小蓋の開閉軌道を円軌道に制限する回転軸部を備える請求項１から４のいずれか１項に記載の天井埋込型空気調和機。
【請求項６】
前記回転軸部は、前記箱蓋の内面側に頭が配置される第二ねじと、前記箱蓋の外面側で前記第二ねじに締め付けられる第二ナットと、を備える請求項５に記載の天井埋込型空気調和機。
【請求項７】
前記第二ナットは袋ナットであり、前記第二ねじを底突きさせた状態で前記小蓋の開閉を許可する請求項６に記載の天井埋込型空気調和機。
【請求項８】
前記第二ねじおよび前記第二ナットは、前記箱蓋および前記小蓋のいずれに対しても遊動可能である請求項６または７に記載の天井埋込型空気調和機。
【請求項９】
前記小蓋は自重で閉じる請求項１から８のいずれか１項に記載の天井埋込型空気調和機。
【請求項１０】
前記小蓋の開閉軌道を前記小蓋が自重で閉じる範囲に規制する開放範囲規制部を備える請求項１から９のいずれか１項に記載の天井埋込型空気調和機。
【発明の詳細な説明】
【技術分野】
【０００１】
本発明の実施形態は、天井埋込型空気調和機に関する。
【背景技術】
【０００２】
ヒューズに接近するケースの面にヒューズの取り換えができる大きさの開口部を形成し、開口部には１本のねじによって開閉できるヒューズカバーを被着するとともに、ヒューズカバーに覗き窓を形成した装置、例えば遊技機が知られている。この従来の遊技機は、開口部およびヒューズカバーを横断面Ｌ字状に形成するとともに、ヒューズカバーの上面にねじを挿着可能にし、開口部の近傍となるケースの外面側に電源の切替スイッチを配備している。
【先行技術文献】
【特許文献】
【０００３】
【特許文献１】実開平５−５３１０７号公報
【発明の概要】
【発明が解決しようとする課題】
【０００４】
ところで、天井埋込型空気調和機は、制御回路を実装した制御基板、キャパシタ、およびコンデンサなどの電子部品を収納する制御器箱を備えている。制御器箱内の電子部品には、制御基板に繋がる電路に着脱可能に挿入されるヒューズが含まれている。
【０００５】
天井埋込型空気調和機は遊技機に比べて高電圧や大電力を取り扱うため、ヒューズを交換する際のより高い安全性が求められる。具体的には、天井埋込型空気調和機は、配線用遮断器（ブレーカー）を遮断し忘れたままヒューズを交換しようとして、誤って通電中の電子部品に触れてしまうような危険を排除できることが好ましい。
【０００６】
そこで、本発明は、より安全にヒューズを交換可能な制御器箱を備える天井埋込型空気調和機を提案する。
【課題を解決するための手段】
【０００７】
前記の課題を解決するため本発明の実施形態に係る天井埋込型空気調和機は、箱本体、前記箱本体を開閉可能な箱蓋、および箱蓋に設けられる開閉可能な小蓋を有する制御器箱と、前記制御器箱に収納される制御基板と、前記制御器箱に収納され前記制御基板に繋がる電路に着脱可能に挿入されるヒューズと、前記制御器箱内に設けられ前記ヒューズの周囲を囲むヒューズ隔離壁と、を備え、前記箱蓋は、前記ヒューズ隔離壁に対応する開口部を有し、前記小蓋は、前記開口部に覆い被さり、前記ヒューズ隔離壁は、前記小蓋側に拡がる錐台形状である。
【図面の簡単な説明】
【０００８】
【図１】本発明の実施形態に係る天井埋込型空気調和機の据え付け状態の側面図。
【図２】本発明の実施形態に係る天井埋込型空気調和機の縦断面。
【図３】本発明の実施形態に係る天井埋込型空気調和機の制御器箱の斜視図。
【図４】本発明の実施形態に係る天井埋込型空気調和機の制御器箱から箱蓋を外した正面図。
【図５】本発明の実施形態に係る制御器箱の箱蓋および小蓋の分解斜視図。
【図６】本発明の実施形態に係る制御器箱の第一ねじを通る断面図。
【図７】本発明の実施形態に係る制御器箱の第一ねじを通る断面図。
【図８】本発明の実施形態に係る制御器箱の正面図であって、小蓋の全閉状態を示す図。
【図９】本発明の実施形態に係る制御器箱の正面図であって、小蓋の開閉途中の状態を示す図。
【図１０】本発明の実施形態に係る制御器箱の正面図であって、小蓋の全開状態を示す図。
【発明を実施するための形態】
【０００９】
本発明に係る天井埋込型空気調和機の実施形態について、図１から図１０を参照して説明する。
【００１０】
図１は、本発明の実施形態に係る天井埋込型空気調和機の据え付け状態の側面図である。
【００１１】
図１に示すように、本実施形態に係る天井埋込型空気調和機１は、被空調室Ｒの天井裏Ｔの梁材から垂れ下がる吊りボルトＢに固定され、天井裏Ｔに設置されている。
【００１２】
天井埋込型空気調和機１は、本体３の正面に空気吹出し口１１を備えている。空気吹出し口１１には、少なくとも１つの吹出しダクト１２が接続されている。吹出しダクト１２は、被空調室Ｒの天井面に設けられる１つ以上の天井吹出し口（図示省略）に繋げられている。本体３から吹き出る熱交換空気は、吹出しダクト１２を通り、天井吹出し口から被空調室Ｒ内へ吹き出す。なお、被空調室Ｒが広い場合には、室内の均一な空調を図るため、天井吹出し口は広範囲に分散して配置される。
【００１３】
本体３の背面部には空気吸込み口１５が設けられている。空気吸込み口１５には集塵フィルタ１６を介して吸込みダクト１４が接続されている。吸込みダクト１４は、天井裏Ｔに沿って延び、被空調室Ｒの天井面に設けられる天井吸込み口（図示省略）に繋げられている。
【００１４】
本体３の両側面には、吊り金具１３が一対ずつ設けられている。吊り金具１３は、吊りボルトＢにナット（図示省略）等で固定され、本体３を支えている。
【００１５】
なお、本実施形態に係る天井埋込型空気調和機１は、本体３の背面部から空気を吸込むものであるが、本体３の下面部から空気を吸い込んでも良い。
【００１６】
図２は、本発明の実施形態に係る天井埋込型空気調和機の縦断面である。
【００１７】
図１および図２に示すように、本実施形態に係る本実施形態に係る天井埋込型空気調和機１の本体３は、幅方向（紙面の表裏方向）の寸法および奥行き方向（紙面の左右方向）の寸法よりも高さ方向の寸法が短い扁平な矩形状の箱体である。
【００１８】
本体３内には、送風機室１７と熱交換室１８とを区画する仕切り板１９が設けられている。仕切り板１９は、本体３の全幅に渡って拡がり、本体３の背面側（吸込み側）に送風機室１７を区画し、本体３の正面側（吹出し側）に熱交換室１８を区画している。
【００１９】
本体３は、金属薄板の板金加工品である。本体３は、熱交換室１８の下面を画定する下面板２１と、送風機室１７の下面を画定する遮風板２２と、熱交換室１８および送風機室１７の上面を画定する天板２３と、それぞれの側面を画定する一対の側面板２５と、を備えている。
【００２０】
送風機室１７には送風機２７が設けられ、熱交換室１８には熱交換器２８、およびドレンパン２９が設けられている。
【００２１】
送風機室１７は、空気吸込み口１５に通じている。なお、天井埋込型空気調和機１は、本体３の下面に設けられる空気吸込み口（図示省略）と、本体３の背面に設けられる空気吸込み口１５と、を有している。そして、据付け現場の事情に応じて、いずれか一方の空気吸込み口が選択され（ここでは背面の空気吸込み口１５）、他方の空気吸込み口（ここでは下面の空気吸込み口）は遮風板２２で閉塞されている。
【００２２】
送風機２７は、本体３の幅方向に延びる回転軸を有するファンモータ（図示省略）と、ファンモータによって駆動されるファン３２と、を備えている。
【００２３】
ファン３２は、回転にともなって軸方向から空気を吸込み、周方向へ空気を吹出す方式のファン、いわゆる多翼送風機（シロッコファン）である。ファン３２は、ファンケーシング３３に収納されている。
【００２４】
ファンケーシング３３の側面には、空気を吸込む吸込み口３３ａが設けられている。ファンケーシング３３の仕切り板１９側の端部には、吹出しノズル３３ｂが設けられている。吹出しノズル３３ｂは、仕切り板１９を貫通して熱交換室１８側に突出している。
【００２５】
熱交換器２８はフィンチューブ型であって、本体３の幅方向に並ぶ複数のアルミフィン３７と、複数のアルミフィン３７を貫き通る複数の伝熱管３８と、を備えている。
【００２６】
熱交換器２８の両側端部には、端板（図示省略）が設けられている。複数のアルミフィン３７は、これら端板間に所定の間隙を隔てて並んでいる。伝熱管３８は、複数のアルミフィン３７とともに熱交換器２８の端板を貫通している。
【００２７】
熱交換器２８はドレンパン２９の上方に配置されている。熱交換器２８は、短冊状のアルミフィン３７を、本体３の前後方向へ傾けた姿勢で配置されている。これにより、天井埋込型空気調和機１は、扁平な本体３内に、より大きい熱交換面積を確保している。
【００２８】
熱交換室１８内における熱交換器２８の周辺および熱交換器２８の空気吹出し口１１側には、断熱材（図示省略）が設けられている。
【００２９】
ドレンパン２９は、冷房運転時に熱交換器２８の熱交換で生成されるドレン水（凝縮水）を受け、ドレン受け部４１に溜める。ドレン受け部４１の上方には、ドレンポンプ４２が設けられている。天井埋込型空気調和機１は、ドレンポンプ４２を作動させることでドレン受け部４１に溜まったドレン水を本体３の外部に排水する。
【００３０】
ドレンパン２９の下面は、本体３の下面板２１によって略全面が覆われている。
【００３１】
本体３の側部には、制御器箱４５が設けられている。制御器箱４５は、本体３の側面板２５の外側に設けられている。なお、制御器箱４５は、側面板２５との間で段差なく（面一に）、本体３内に入り込んでいても良いし、後述する開口部５５が本体３の内側へ向けて側面板２５の内側に設けられていても良い。
【００３２】
次いで、制御器箱４５について説明する。
【００３３】
図３は、本発明の実施形態に係る天井埋込型空気調和機の制御器箱の斜視図である。
【００３４】
図４は、本発明の実施形態に係る天井埋込型空気調和機の制御器箱から箱蓋を外した正面図である。
【００３５】
図３および図４に示すように、本実施形態に係る本実施形態に係る天井埋込型空気調和機１は、制御器箱４５と、制御器箱４５に収納される制御基板４６と、制御器箱４５に収納され制御基板４６に繋がる電路に着脱可能に挿入されるヒューズ４７と、制御器箱４５内に設けられヒューズ４７の周囲を囲むヒューズ隔離壁４８と、を備えている。
【００３６】
制御器箱４５は、箱本体５１と、箱本体５１を開閉可能な箱蓋５２と、箱蓋５２に設けられる開閉可能な小蓋５３と、を備えている。
【００３７】
箱本体５１は、制御基板４６、ヒューズ４７、およびヒューズ隔離壁４８を収容する空間を画定している。
【００３８】
箱本体５１は、金属薄板に折曲げ加工を施して得られる板金加工品である。幅寸法ｗおよび高さ寸法ｈよりも奥行き方向寸法ｄの方が短い扁平な矩形状の箱体である。箱本体５１は、正面のほぼ全面に箱蓋５２で塞がれる開口部５５を有している。箱本体５１の正面を除く他の五面は、金属薄板で塞がれている。開口部５５に対向する底板５６は、制御基板４６、およびヒューズ４７を含む電子部品の実装面である。
【００３９】
箱本体５１は、開口部５５を天井埋込型空気調和機１の本体３の外側へ向けて本体３の側部に設けられている。換言すると、箱本体５１の底板５６の内面、つまり電子部品の実装面は、開口部５５を通じて本体３の側方外側を臨んでいる。
【００４０】
箱本体５１は、天井埋込型空気調和機１が設置されている状態で底板５６、左右側壁５７、５８を鉛直に立て、上下側壁６１、６２を水平に寝かせている。左右側壁５７、５８、および上下側壁６１、６２の開口部５５の縁部には、箱蓋５２を上下左右のいずれかの方向へスライド可能に保持するレール（図示省略）が設けられている。箱蓋５２は、レールによって開閉可能に保持されている。なお、制御器箱４５は、箱蓋５２を天井埋込型空気調和機１の左右いずれかの側方（図１では右側方）へ向け、左右側壁５７、５８を天井埋込型空気調和機１の前後（図１では右側方）へ向けて本体３に固定されている。
【００４１】
箱本体５１内には、制御基板４６、およびヒューズ４７に加え、キャパシタ６５、トランス６６、および端子台６７などの電子部品が収納されている。これら電子部品は、種々の要求に沿って適宜に配置される。本実施形態に係る箱本体５１は、配置の一例として、底板５６の左側にキャパシタ６５を収納し、底板５６の中央部上部にトランス６６を収納し、底板５６の中央部にヒューズ４７を収納し、底板５６の右側に制御基板４６を収納し、底板５６の下部に端子台６７を横断させて収納している。
【００４２】
ヒューズ隔離壁４８は、ヒューズ４７の周囲を囲んでヒューズ４７を孤立させている。ヒューズ隔離壁４８は、金属薄板に折曲げ加工を施して得られる板金加工品である。ヒューズ隔離壁４８は、箱本体５１の底板５６に固定されている。ヒューズ隔離壁４８は、箱蓋５２で箱本体５１を塞いだ状態において、底板５６から箱蓋５２に達する奥行きを有している。
【００４３】
ヒューズ隔離壁４８は、箱蓋５２を開いた状態では底板５６側から開口部５５側に拡がる錐台形状であり、箱蓋５２を閉じた状態では底板５６側から小蓋５３側に拡がる錐台形状である。ヒューズ隔離壁４８は、円錐台形状であっても良いし、多角錐台形状であっても良いし、奥行き方向の一部分を錐台形状としても良い。本実施形態に係るヒューズ隔離壁４８は、箱本体５１と同様に４つの辺を有する四角錐台形状である。
【００４４】
ヒューズ隔離壁４８の内側には、ヒューズを着脱可能に保持するヒューズホルダ６８が設けられている。ヒューズホルダ６８は、箱本体５１の底板５６に固定されている。なお、ヒューズ４７およびヒューズホルダ６８以外の電子部品、例えばキャパシタ６５、トランス６６、および端子台６７は、ヒューズ隔離壁４８の外側、つまりヒューズ隔離壁４８の外面と箱本体５１の内面との間の空間に配置されている。
【００４５】
箱蓋５２は、箱本体５１の開口部５５に適合する形状の板体である。本実施形態に係る箱蓋５２は、四角形状の板体である。箱蓋５２は、ヒューズ隔離壁４８の内側部分に対応する蓋開口部６９を有している。
【００４６】
箱蓋５２は、箱本体５１の底板５６と同じく、天井埋込型空気調和機１が設置されている状態で鉛直に立っている。箱蓋５２は、箱本体５１内の空間のうちヒューズ隔離壁４８の内側部分を避ける蓋開口部６９を有してヒューズ隔離壁４８の外側部分に覆い被さっている。
【００４７】
蓋開口部６９は、底板５６の中央部に配置されているヒューズ４７を制御器箱４５の正面側から見通することができるよう配置されている。また、蓋開口部６９は、ヒューズ隔離壁４８に適合する形状を有している。実施形態に係る蓋開口部６９は、四角形状である。蓋開口部６９を通じてヒューズ４７の交換作業が行われる。
【００４８】
小蓋５３は、蓋開口部６９に覆い被さっている。また、小蓋５３は、箱本体５１内の空間のうちヒューズ隔離壁４８の内側部分に覆い被さっている。小蓋５３は、蓋開口部６９に適合する形状を有している。実施形態に係る小蓋５３は、四角形状である。小蓋５３は、箱蓋５２の外面に沿って移動し、蓋開口部６９を開閉する。
【００４９】
図５は、本発明の実施形態に係る制御器箱の箱蓋および小蓋の分解斜視図である。
【００５０】
図６および図７は、本発明の実施形態に係る制御器箱の第一ねじを通る断面図である。
【００５１】
図８から図１０は、本発明の実施形態に係る制御器箱の正面図であって、小蓋の開閉の様子を示す図である。
【００５２】
図８は、小蓋５３の全閉状態を示している。図９は、小蓋５３が開く途中の状態、または閉じる途中の状態を示している。図１０は、小蓋５３が全開状態を示している。
【００５３】
図５から図１０に示すように、本実施形態に係る本実施形態に係る天井埋込型空気調和機１の箱蓋５２は、小蓋５３を箱蓋５２に固定する第一ねじ７１を備えている。
【００５４】
第一ねじ７１は、箱蓋５２のねじ穴７２に噛み合っている。第一ねじ７１の頭７３と箱蓋５２との間に小蓋５３を挟み込んで締め付けることによって、小蓋５３は箱蓋５２に固定される（図６）。他方、第一ねじ７１を緩めることによって、小蓋５３の固定が解除され、小蓋５３を開閉させることができる（図７）。
【００５５】
また、箱蓋５２は、第一ねじ７１に締め付けられ第一ねじ７１が箱蓋５２から抜け出ることを阻止する第一ナット７５を備えている。第一ナット７５は袋ナットであり、第一ねじ７１を底突きさせた状態で第一ねじ７１を緩めることが可能な寸法関係で第一ねじ７１のねじ先に固定されている。
【００５６】
なお、第一ナット７５と箱蓋５２との間には、第一ねじ７１の最大緩み距離Ｌを調整するためのワッシャ７６が挟み込まれている。ワッシャ７６は、第一ねじ７１の軸７７に通されている。
【００５７】
小蓋５３は、第一ねじ７１の軸７７を引っ掛ける切り欠き状の凹部７８を有している。小蓋５３は、第一ねじ７１を緩めて箱蓋５２に沿って小蓋５３を移動させることで凹部７８から第一ねじ７１の軸７７を離脱させて開閉する（図８から図１０）。
【００５８】
さらに、箱蓋５２は、小蓋５３の開閉軌道を円軌道に制限する回転軸部７９を備えている。
【００５９】
回転軸部７９は、小蓋５３の開閉軌道を、箱蓋５２の外面に沿った円軌道に制限している。換言すると、回転軸部７９は、箱蓋５２の法線に沿った軸回りに小蓋５３を回転可能に支持している。天井埋込型空気調和機１が設置されている状態で箱蓋５２が鉛直に立っているため、小蓋５３の回転軸は、水平方向に延びていることになる。
【００６０】
回転軸部７９は、箱蓋５２の内面側に頭８１が配置される第二ねじ８２と、箱蓋５２の外面側で第二ねじ８２に締め付けられる第二ナット８３と、を備えている。
【００６１】
第二ねじ８２および第二ナット８３は、箱蓋５２および小蓋５３のいずれに対しても遊動可能である。換言すると、箱蓋５２の孔８５にはねじが切られておらず、小蓋５３の孔８６にもねじが切られていない。第二ねじ８２は箱蓋５２の孔８５にも、小蓋５３の孔８６にも噛み合っていない。このため、箱蓋５２の外側に露出している第二ナット８３を回転させても、回転軸部７９は空転するのみであり、第二ナット８３が第二ねじ８２から抜け出ることはない。
【００６２】
第二ナット８３は袋ナットであり、第二ねじ８２を底突きさせた状態で小蓋５３の開閉を許可する。
【００６３】
なお、第二ねじ８２と箱蓋５２との間、および第二ナット８３と箱蓋５２との間には、小蓋５３が箱蓋５２の外面の法線方向（面外方向）へ移動することを避けるため、ワッシャ８７が挟み込まれている。
【００６４】
回転軸部７９は、小蓋５３の上側左隅に配置されている。小蓋５３の凹部７８は、小蓋５３の下側右隅に配置されている。また、第一ねじ７１の対応するねじ穴７２は、蓋開口部６９の下側左隅の縁部に配置されている。つまり、小蓋５３は、上側左隅の回転軸部７９を中心にして円軌道を描いて開閉し、回転軸部７９から最も遠い、下側左隅の凹部７８を第一ねじ７１で固定される。また、回転軸部７９は、水平に延びる軸回りに小蓋５３を支えている。これらから、小蓋５３は、その重心が回転軸を通る鉛直線よりも蓋開口部６９側に位置していれば、自重で閉じる。
【００６５】
特に、凹部７８は、小蓋５３の開閉の軌道（円軌道）に適合するように開放されている。つまり、小蓋５３を開く際には、凹部７８は小蓋５３の回転移動にともなって第一ねじ７１から離脱する一方、小蓋５３を閉じる際には、凹部７８は第一ねじ７１に引っ掛かって小蓋５３を全閉に位置決めする。制御器箱４５は、第一ねじ７１に凹部７８を引っ掛けたまま第一ねじ７１を締め付けることで、小蓋５３を全閉位置で固定できる。
【００６６】
凹部７８の近傍には、小蓋５３の開閉時に手指を引っ掛け、あるいは手指でつまむことが可能な取っ手８８が設けられている。
【００６７】
また、箱蓋５２は、小蓋５３の開閉軌道を小蓋５３が自重で閉じる範囲に規制する開放範囲規制部９１を備えている。開放範囲規制部９１は、箱蓋５２の外面に盛り上がる凸形状を有し、図３に示すように小蓋５３の重心Ｇが回転軸を通る鉛直線Ｌよりも蓋開口部６９側に位置するよう、小蓋５３の開閉軌道を規制している。
【００６８】
なお、開放範囲規制部９１は、小蓋５３が蓋開口部６９を全開できるよう、小蓋５３が少なくとも９０度以上回転できるよう、配置されていることが好ましい。
【００６９】
このように、本実施形態に係る天井埋込型空気調和機１は、箱蓋５２がヒューズ隔離壁４８の内側部分を避ける蓋開口部６９を有してヒューズ隔離壁４８の外側部分に覆い被さり、小蓋５３がヒューズ隔離壁４８の内側部分に覆い被さるため、ヒューズ４７が溶断した際に箱蓋５２を開くことなく、箱蓋５２よりも小さい小蓋５３のみを開いてヒューズ４７を交換できる。
【００７０】
また、本実施形態に係る天井埋込型空気調和機１は、ヒューズ４７の周囲を囲んで孤立させるヒューズ隔離壁４８を備えているため、小蓋５３のみを開いてヒューズ４７を交換する際に、制御器箱４５内のヒューズ４７以外の電子部品に作業者が触れるリスクを排除して安全性を高めることができる。
【００７１】
さらに、本実施形態に係る天井埋込型空気調和機１は、小蓋５３側に拡がる錐台形状のヒューズ隔離壁４８を備えているため、交換作業においては作業者の手指をヒューズ４７に近づけやすく、また、制御器箱４５内のヒューズ４７以外の電子部品の配置においては、その自由度を確保し易い。
【００７２】
さらにまた、本実施形態に係る天井埋込型空気調和機１は、第一ねじ７１を引っ掛けて位置決めする凹部７８を備えることによって、第一ねじ７１を箱蓋５２から取り外すことなく、緩めるだけで小蓋５３を開閉することが可能であり、ひいては第一ねじ７１を紛失するリスクを軽減できる。
【００７３】
また、本実施形態に係る天井埋込型空気調和機１は、第一ねじ７１が箱蓋５２から抜け出ることを阻止する第一ナット７５を備えることによって、第一ねじ７１を紛失するリスクを除去できる。
【００７４】
さらに、本実施形態に係る天井埋込型空気調和機１は、第一ねじ７１を底突きさせた状態で第一ねじ７１を緩めることが可能な袋ナットを第一ナット７５に用いることによって、第一ナット７５の締め付け量をコントロールすることなく、組立作業における管理項目を減らし、作業効率を高めることができる。
【００７５】
さらにまた、本実施形態に係る天井埋込型空気調和機１は、小蓋５３の開閉軌道を円軌道に制限する回転軸部７９を備えることによって、小蓋５３の円滑な開閉を可能にするとともに、小蓋５３を紛失するリスクを除去できる。
【００７６】
また、本実施形態に係る天井埋込型空気調和機１は、箱蓋５２の内面側に頭８１が配置される第二ねじ８２と、箱蓋５２の外面側で第二ねじ８２に締め付けられる第二ナット８３とで回転軸部７９を構成することで、第一ねじ７１に用いる工具、例えばドライバーと第二ナット８３を締め付ける工具とを異ならせることが可能であり、ひいては小蓋５３を開く際に回転軸部７９を緩める意識を薄れさせることができる。
【００７７】
さらにまた、本実施形態に係る天井埋込型空気調和機１は、第二ねじ８２を底突きさせた状態で小蓋５３を開閉可能な袋ナットを第二ナット８３に用いることによって、第二ナット８３の締め付け量をコントロールすることなく、組立作業における管理項目を減らし、作業効率を高めることができる。
【００７８】
また、本実施形態に係る天井埋込型空気調和機１は、第二ねじ８２および第二ナット８３を箱蓋５２および小蓋５３のいずれに対しても遊動可能にすることで、回転軸部７９を制御器箱４５の外側からのみ回しても、取り外すことができなくなり、回転軸部７９を紛失するリスクを除去できる。
【００７９】
さらに、本実施形態に係る天井埋込型空気調和機１は、小蓋５３が自重で閉じることによって、ヒューズ４７交換後に小蓋５３を閉め忘れることがない。
【００８０】
さらにまた、本実施形態に係る天井埋込型空気調和機１は、小蓋５３の開閉軌道を小蓋５３が自重で閉じる範囲に規制する開放範囲規制部９１を備えることによって、ヒューズ４７交換後に小蓋５３を確実に閉じることができる。
【００８１】
したがって、本実施形態の天井埋込型空気調和機１によれば、より安全にヒューズ４７を交換可能な制御器箱４５を備えることができる。
【００８２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８３】
１…天井埋込型空気調和機、３…本体、１１…空気吹出し口、１２…吹出しダクト、１３…吊り金具、１５…空気吸込み口、１６…集塵フィルタ、１７…送風機室、１８…熱交換室、１９…仕切り板、２１…下面板、２２…遮風板、２３…天板、２５…側面板、２７…送風機、２８…熱交換器、２９…ドレンパン、３１…ファンモータ、３２…ファン、３３…ファンケーシング、３３ａ…吸込み口、３３ｂ…吹出しノズル、３７…アルミフィン、３８…伝熱管、４１…ドレン受け部、４２…ドレンポンプ、４５…制御器箱、４６…制御基板、４７…ヒューズ、４８…ヒューズ隔離壁、４８ａ、４８ｂ、４８ｃ、４８ｄ…側壁、５１…箱本体、５２…箱蓋、５３…小蓋、５５…開口部、５６…底板、５７、５８…左右側壁、６１、６２…上下側壁、６５…キャパシタ、６６…トランス、６７…端子台、６８…ヒューズホルダ、６９…蓋開口部、７１…第一ねじ、７２…ねじ穴、７３…頭、７５…第一ナット、７６…ワッシャ、７７…軸、７８…凹部、７９…回転軸部、８１…頭、８２…第二ねじ、８３…第二ナット、８５、８６…孔、８７…ワッシャ、８８…取っ手、９１…開放範囲規制部。
【図１】
0006650303.tif 000002
【図２】
0006650303.tif 000003
【図３】
0006650303.tif 000004
【図４】
0006650303.tif 000005
【図５】
0006650303.tif 000006
【図６】
0006650303.tif 000007
【図７】
0006650303.tif 000008
【図８】
0006650303.tif 000009
【図９】
0006650303.tif 000010
【図１０】
0006650303.tif 000011